(57)【特許請求の範囲】
【請求項１】
カメラに装着されたレンズの絞り値を第１のステップで変化する絞り値として表示するための第１ステップ表示絞り値と、前記第１のステップよりも分解能が細かい第２のステップで変化する第２ステップ表示絞り値とをそれぞれ格納した表示絞り値格納手段と、前記レンズの現在の設定された絞り値を検出する絞り値検出手段と、前記検出した絞り値に基づいて前記表示絞り値格納手段から対応する表示絞り値を選択し、かつ当該選択した表示絞り値を表示器に表示する表示制御手段とを備え、前記表示制御手段は、前記レンズの絞り値が当該レンズの開放絞り値であると判断したときには前記第２ステップ表示絞り値を選択し、当該レンズの開放絞り値以外の絞り値であると判断したときには前記第１ステップ表示絞り値を選択することを特徴とするカメラの絞り値表示装置。
【請求項２】
前記表示絞り値格納手段は、予め算出された各表示絞り値をテーブルとして記憶しておく表示用メモリであることを特徴とする請求項１に記載のカメラの絞り値表示装置。
【請求項３】
前記絞り値検出手段は、前記レンズから伝達される当該レンズの開放絞りデータと、前記カメラに設けられた露出演算手段で演算される現在の絞りデータとを比較し、前記現在の絞りデータが前記開放絞りデータ以下の大きさのときに絞り値が開放絞り値であると判断することを特徴とする請求項１または２に記載のカメラの絞り値表示装置。
【請求項４】
前記絞り値検出手段は、前記レンズにリアコンバータが装着されたときに、当該リアコンバータにより前記レンズの絞り値を補正することを特徴とする請求項１ないし３のいずれかに記載のカメラの絞り値表示装置。
【請求項５】
前記レンズはズームレンズとして構成され、前記表示制御手段は、当該ズームレンズの短焦点側端点および長焦点側端点における各開放絞り値を表示する際に前記第２ステップ表示絞り値を選択し、中間焦点設定においては前記第１ステップ表示絞り値を選択することを特徴とする請求項１ないし４のいずれかに記載のカメラの絞り値表示装置。
【請求項６】
前記第１ステップ表示絞り値は１／２もしくは１／３ステップの分解能の表示絞り値であり、前記第２ステップ表示絞り値は１／８ステップ以上の細かい分解能の表示絞り値であることを特徴とする請求項１ないし５のいずれかに記載のカメラの絞り値表示装置。
【請求項７】
前記表示器は、前記表示絞り値をデジタル表示する表示器であることを特徴とする請求項１ないし６のいずれかに記載のカメラの絞り値表示装置。
【請求項８】
前記表示制御手段は、前記レンズのシリアル番号、若しくはこれに相当する情報に基づいて前記表示絞り値の分解能を設定することを特徴とする請求項１ないし７のいずれかに記載のカメラの絞り値表示装置。
【発明の詳細な説明】
【０００１】
【発明の属する技術分野】
本発明はレンズ交換が可能なカメラに関し、特にレンズの絞り値（Ｆ値）をカメラボディ側において表示することが可能なカメラのＦ値表示装置に関するものである。
【０００２】
【従来の技術】
レンズ交換が可能なカメラでは、装着したレンズのＦ値をカメラボディ側において表示するためのＦ値表示装置が設けられる。このＦ値表示装置は、通常ではレンズ内に配設されているレンズＲＯＭに記憶された開放Ｆ値情報や、レンズの絞り設定環で設定されるＦ値設定情報をカメラボディ側に伝達し、当該情報に基づいてカメラボディ側に設けられた液晶表示器等の表示器においてＦ値表示を行うように構成されている。また、ズームレンズの場合には、ズーミングによって開放Ｆ値が変化されるが、この場合においても設定された焦点距離に対応する開放Ｆ値が前記レンズＲＯＭからカメラボディ側に伝達され、Ｆ値表示装置において表示が行われる。
【０００３】
ところで、従来のカメラボディに設けられているＦ値表示装置は、Ｆ値をデジタル数値により表示する構成であり、このデジタル数値を表示する際にはある程度の表示分解能でＦ値を表示するように構成されている。例えば、Ｆ値表示が１ステップ表示の場合には、「1.0 ，1.4 ，2.0 ，2.8 ，4 ，…」であり、さらに細かいＦ値表示を行うために１／２ステップ表示としたときには、「1.0 ，1.2 ，1.4 ，1.7 ，2.0 ，2.4 ，2.8 ，3.4 ，4 、…」となる。このように、表示分解能を細かくすれば、より正確にＦ値を表示することは可能であるが、実際の撮影者は大略のＦ値が判ればよく、細かいＦ値を必要とすることは少ないため、通常では１／２ステップ程度、あるいは１／３ステップ程度の表示分解能に設定されている。
【０００４】
【発明が解決しようとする課題】
しかしながら、撮影者にとっては、カメラに装着されているレンズの開放Ｆ値を認識することは重要であり、特にズームレンズにおいてズーミングによって変化される開放Ｆ値を認識することは、露出アンダーの撮影を未然に防止する上からも必要である。そのため、開放Ｆ値については、正確な表示が要求されるが、前述したように１／２ステップ、あるいは１／３ステップの表示分解能に設定されているＦ値表示装置では、レンズの開放Ｆ値が表示分解能上のＦ値と一致しないときに、正確な表示を行うことができない場合がある。例えば、公称開放Ｆ値が「1.9 」のレンズの場合には、Ｆ値表示装置において、「1.7 」（１／２ステップ表示の場合）、あるいは「1.8 」（１／３ステップ表示の場合）の表示開放Ｆ値として表示されてしまうことになる。このような問題は、ズームレンズにおけるズーミングに伴って開放Ｆ値が変化する場合、あるいはレンズの絞り設定環の操作に伴ってＦ値が変化される場合についても同様であり、両者間に誤差が生じてしまうことになる。また、前記Ｆ「1.9 」の公称開放Ｆ値を持つレンズにおいて、表示Ｆ値が「2.0 」より小さい値が表示されない場合も考えられ、使用者は、開放Ｆ値に設定できないと感じ、故障ではないかと不安になる。
【０００５】
このような公称開放Ｆ値と、表示開放Ｆ値との誤差を無くし、あるいは低減するためには、Ｆ値表示装置における前記した表示分解能を細かくすればよい。例えば、１／８ステップ程度に設定することが考えられる。この程度まで表示分解能を細かくすれば、前記した公称開放Ｆ値「1.9 」についても、表示開放Ｆ値を「1.9 」とすることは可能である。しかしながら、このように細かく設定すると、開放Ｆ値以外の領域で、ズーミングあるいは絞り設定環を操作したときの公称Ｆ値の変化に追従して、Ｆ値表示装置においても表示Ｆ値としてのデジタル数値が目まぐるしく変化することになり、これでは前述したように本来は必要性の少ない表示が行われることになるとともに、撮影者にとってＦ値の変化が煩わしいものになってしまう。
【０００６】
本発明の目的は、開放Ｆ値を正確に表示することを可能とする一方で、表示するＦ値を適切な分解能で表示することを可能にしたＦ値表示装置を提供するものである。
【０００７】
【課題を解決するための手段】
本発明のカメラのＦ値表示装置は、カメラに装着されたレンズの絞り値を第１のステップで変化する絞り値として表示するための第１ステップ表示絞り値と前記第１のステップよりも分解能が細かい第２のステップで変化する第２ステップ表示絞り値とをそれぞれ格納した表示絞り値格納手段と、前記レンズの現在の設定的された絞り値を検出する絞り値検出手段と、前記検出した絞り値に基づいて前記表示絞り値格納手段から対応する表示絞り値を選択し、かつ当該選択した表示絞り値を表示器に表示する表示制御手段とを備え、前記表示制御手段は、前記レンズの絞り値が当該レンズの開放絞り値であると判断したときには前記第２ステップ表示絞り値を選択し、当該レンズの開放絞り値以外の絞り値であると判断したときには前記第１ステップ表示絞り値を選択することを特徴とする。
【０００８】
例えば、本発明の好ましい形態としては、前記第１ステップ表示絞り値は１／２、もしくは１／３ステップの分解能の表示絞り値とし、前記第２ステップ表示絞り値は１／８ステップ以上の細かい分解能の表示絞り値とする。また、本発明においては、レンズにリアコンバータが装着されたときには、絞り値検出手段では、当該リアコンバータにより前記レンズの絞り値を補正する構成とすることが好ましい。また、レンズがズームレンズとして構成されたときには、表示制御手段は、当該ズームレンズの短焦点側端点および長焦点側端点の各開放絞り値を表示する際に第２ステップ表示絞り値を選択する構成とすることが好ましい。
【０００９】
本発明のＦ値表示装置によれば、レンズの開放Ｆ値を表示する場合には、表示分解能が細かい第２ステップ表示絞り値を選択してＦ値表示を行い、開放Ｆ値以外のＦ値を表示する場合には、それよりも表示分解能が粗い第１ステップ表示絞り値を選択してＦ値表示を行うことが可能になる。これにより、第１ステップ表示絞り値の分解能では表示値から外れてしまう開放Ｆ値を正確に表示することが可能になる。その一方で、開放Ｆ値以外のＦ値の表示では、実際の撮影には十分な表示分解能でのＦ値表示が行われることになり、表示が目まぐるしく変化して撮影者が煩わしく感じるようなことはない。また、リアコンバータを装着した場合の開放Ｆ値が第１ステップ表示絞り値の分解能では表示値から外れてしまうような場合、さらには、ズームレンズの短焦点側と長焦点側の開放Ｆ値が第１ステップ表示絞り値の分解能では表示値から外れてしまうような場合のそれぞれにおいても、正確なＦ値の表示が可能になり、その一方でＦ値表示が目まぐるしく変化する状態のＦ値表示が回避される。
【００１０】
【発明の実施の形態】
次に、本発明の実施形態を図面を参照して説明する。図１は本発明のＦ値表示装置をレンズ交換式一眼レフカメラに適用した実施形態の概略構成図である。カメラボディ１に対してレンズ２が着脱可能とされている。なお、この実施形態では、前記レンズ２の後部にリアコンバータ３（テレコンバータ）が装着されているものとする。前記レンズ２はレンズ鏡筒２１の周面に沿って絞り設定環２２が配設されており、前記絞り設定環２２の周面には、公称開放Ｆ値「1.4 」を含む、Ｆ値「1.4 ，2.0 ，2.8 ，4 ，…」が記されており、撮影者が絞り設定環２２を回動操作することにより前記レンズ鏡筒２１に設けられた指標２３に対して前記Ｆ値を設定することが可能とされている。また、前記レンズ鏡筒２１内にはレンズＲＯＭ４が内蔵されており、このレンズＲＯＭ４には後述するように当該レンズ２の公称開放Ｆ値の情報と、表示Ｆ値の表示分解能の情報が設定され、レンズ２をカメラボディ１に装着したときに前記レンズＲＯＭ４から前記各情報がカメラボディ１側に伝達されるようになっている。一方、前記絞り設定環２２には図外の絞り連係片が一体に形成されており、前記絞り設定環２２が操作されたときの回動位置をカメラボディ１側に伝達するようになっている。また、前記リアコンバータ３内にはリアコンＲＯＭ６が内蔵されており、当該リアコンバータ３の開放Ｆ値に与えるシフト値を前記カメラボディ１側に伝達するようになっている。
【００１１】
前記カメラボディ１には、ファインダ１１、レリーズボタン１２、測光装置１３、ストロボ（フラッシュ）１４、各種スイッチ１５等が配設され、さらにシャッター速度やＦ値等の各種撮影情報を表示することが可能な液晶表示装置１６が設けられる。また、前記カメラボディ１内には、カメラ全体の動作を制御するためのＣＰＵ５が配設されている。また、前記レンズ２の絞り連係片に連動して前記絞り設定環の設定位置、すなわち絞り設定環で設定されるＦ値に対応する設定位置を検出し、検出した設定位置を前記ＣＰＵ５に入力する絞り設定環検出機構７が設けられている。この絞り設定環検出機構７としては、例えばコード板と摺動接点を用いたエンコーダが用いられる。
【００１２】
前述したようにＣＰＵ５には、前記レンズＲＯＭ４からの公称開放Ｆ値及び表示分解能の情報が入力され、また前記リアコンＲＯＭ６からはシフト値の情報が入力され、前記カメラボディ１内の絞り設定環検出機構７からはレンズの絞り設定環で設定される設定Ｆ値の情報が入力される。また、前記ＣＰＵ５は入力された前記公称開放Ｆ値及び設定Ｆ値やシフト値の情報に基づいて所要の処理を行い、この処理により得られた表示分解能を前記液晶表示装置１６に入力してレンズ２の現在のＦ値を表示するように構成されている。この場合、前記ＣＰＵ５はカメラボディ１内に設けられた表示用メモリ８に対してアクセスし、当該表示用メモリ８に格納されている表示Ｆ値テーブルデータに基づいて前記Ｆ値を表示する。前記表示Ｆ値テーブルデータは、図２に示すように、Ａｖ値に基づいて算出した値に対応して、１／２ステップ、１／８ステップでの表示を行うＦ値が記憶されているものである。
【００１３】
以上の構成のカメラにおけるＦ値表示動作について説明する。図３はそのゼネラルフローである。カメラボディ１にレンズ２を装着すると、レンズＲＯＭ４から各種情報がカメラボディ側に伝達され、ＣＰＵ５に入力される、いわゆるレンズＲＯＭ通信が行われる（Ｓ１０１）。次いで、カメラボディ１の絞り設定環検出機構７はレンズの絞り設定環２２の設定位置を検出し、検出した設定位置がＣＰＵ５に入力される（Ｓ１０３）。そして、レリーズボタン１２の押下により測光スイッチがＯＮされると、測光装置（測光センサ）１３の測光出力がＣＰＵ５に入力され（Ｓ１０５）、かつ各種スイッチ１５の情報がＣＰＵ５に入力される（Ｓ１０７）。その上で、ＣＰＵ５はＡＥ（露出）演算を実行するとともに（Ｓ１０９）、現在のレンズのＦ値と、演算されたシャッター速度をそれぞれ液晶表示装置１６に表示する（Ｓ１１１，Ｓ１１３）。また、予め設定されている各種情報を液晶表示装置１６に表示する（Ｓ１１５）。以降は、説明を省略するが、レリーズボタン１２のさらなる押下によってレリーズスイッチがＯＮされると、表示されたＦ値及びシャッター速度での撮影が実行されることになる。
【００１４】
前記ＡＥ演算Ｓ１０９のフローを図４に示す。前記ゼネラルフローのステップＳ１０７で入力された各種スイッチの情報のうち、フィルムのＩＳＯ感度から感度アペックス値Ｓｖｄを算出する（Ｓ２０１）。また、前記ステップＳ１０３で入力される絞り設定環２２の回動位置のアペックス値Ａｖｖｒｄを算出する（Ｓ２０３）。次いで、前記ステップＳ１０１においてレンズＲＯＭ４から入力された各種情報から装着されている前記レンズ２の開放Ｆ値のアペックス値Ａｖｄｍｉｎと最大Ｆ値（最小絞り開口）のアペックス値Ａｖｄｍａｘを算出する（Ｓ２０５）。さらに、前記ステップＳ１０５で入力された測光装置の測光出力から測光アペックス値Ｂｖｄを算出する（Ｓ２０７）。そして、この測光アペックス値Ｂｖｄに基づいてフラッシュ撮影が必要であるか否かを判断する（Ｓ２０９）。フラッシュ撮影が必要な場合には、ステップＳ２０３で得られた現在の絞り設定環の設定位置ＡｖｖｒｄからＦ値のアペックス値Ａｖｄを算出する（Ｓ２１１）。そして、前記Ｓｖｄ、Ｂｖｄ、Ａｖｄに基づいて露出演算を行い、フラッシュ撮影でのシャッター速度のアペックス値Ｔｖｄを算出する（Ｓ２１３）。また、フラッシュ撮影が不要な場合には、ステップＳ２１１と同様にＦ値のアペックス値Ａｖｄを算出し（Ｓ２１５）、その上で、前記Ｂｖｄ、Ｓｖｄ、Ａｖｄに基づいて露出演算を行い、定常光（外光）でのシャッター速度のアペックス値Ｔｖｄを算出する（Ｓ２１７）。このようにして設定されたＦ値、シャッター速度は、図３のフローのステップＳ１１１、Ｓ１１３において液晶表示装置１６に表示されることになる。
【００１５】
次に、前記液晶表示装置１６において表示するＦ値の表示動作の詳細を説明する。先ず、前記レンズＲＯＭ４に記憶されている情報を図５（ａ）に示す。レンズＲＯＭ４には、レンズ種類、公称開放Ｆ値のアペックス値であるＡｖｄｍｉｎ、公称最大Ｆ値のアペックス値であるＡｖｄｍａｘ、レンズのシリアル番号等の情報が格納されている。また、Ａｖｄｍｉｎの分解能として１／２ステップと１／８ステップを設定しており、これら１／２ステップと１／８ステップのいずれに設定するかを示す第１フラグＦＬ１がＡｖｄｍｉｎオフセット（１）に格納されている。ここでは、第１フラグＦＬ１が「１」のときに１／８ステップに設定し、第１フラグＦＬ１が「０」のときに１／２ステップに設定する。また、前記レンズＲＯＭ４のＡｖｄｍｉｎオフセット（１）には、１／２ステップデータのＡｖｄｍｉｎに対するリアコンバータのオフセットデータを「正（プラス）」または「負（マイナス）」のいずれとして補正するかを示す第２フラグＦＬ２が格納されている。ここでは、第２フラグＦＬ２が「１」のときにオフセットデータをマイナスし、「０」のときにオフセットデータをプラスする。また、前記リアコンバータ３のリアコンＲＯＭ６に記憶されている情報を図５（ｂ）に示す。リアコンＲＯＭ６には、レンズ種類と共にＡｖｄｍｉｎリアコンｓｈｉｆｔ値が格納されている。
【００１６】
図４のフローのステップＳ２０５におけるＡｖｄｍｉｎとＡｖｄｍａｘの算出動作のフローを図６に示す。最初にリアコンバータが装着されているか否かを判定する（Ｓ３０１）。本実施形態のカメラでは、リアコンバータ３が設けられているので、ステップＳ３０１ではリアコンバータ有りとなり、図５（ｂ）に示したリアコンＲＯＭ６から当該リアコンバータのＡｖｄｍｉｎリアコンｓｈｉｆｔを読み出し、Ａｖｄｓｈｉｆｔとする（Ｓ３０３）。なお、リアコンバータが無い場合には、Ａｖｄｓｈｉｆｔを「０」にする（Ｓ３０５）。
【００１７】
次いで、レンズＲＯＭ４の第１フラグＦＬ１を判定する（Ｓ３０７）。第１フラグＦＬ１が「１」のときには、１／８ステップでの表示となる。また、第１フラグＦＬ１が「０」のときには、レンズシリアル番号を判定し、レンズシリアル番号からレンズ種類がＦ1.9 のレンズであると判定されたときには（Ｓ３０９）、ＡｖｄｍｉｎをＦ1.9 とする（Ｓ３１１）。また、レンズシリアル番号からレンズ種類がＦ1.8 のレンズであると判定されたときには（Ｓ３１３）、ＡｖｄｍｉｎをＦ1.8 とする（Ｓ３１５）。なお、これらＦ1.9 ，Ｆ1.8 等の各レンズは、現在までに提供されている特異な開放Ｆ値のレンズの例であり、これ以外にも特異な開放Ｆ値のレンズが存在する場合には、前記レンズシリアル番号から当該レンズについて判定を行い、それぞれについて設定されている開放Ｆ値をＡｖｄｍｉｎに設定することになる。なお、シリアル番号から判定する場合には、図５（ａ）に示す１／８ステップの分解能のＡｖｄｍｉｎオフセット（２）情報は必要ない。
【００１８】
また、前記ステップＳ３０７において、１／８ステップでの表示が有効とされたときには、符号を示すフラグであるレンズＲＯＭ４の第２フラグＦＬ２を判定する（Ｓ３１７）。第２フラグＦＬ２が「１」のときには、オフセットデータをマイナスし、これにより、Ａｖｄｍｉｎとして、レンズＲＯＭの１／２ステップのＡｖｄｍｉｎデータから１／８ステップのオフセットデータをマイナスした値とし、１／８ステップデータとなる（Ｓ３１９）。すなわち、
Ａｖｄｍｉｎ＝レンズＲＯＭ１／２ステップＡｖｄｍｉｎデータ−１／８ステップオフセットデータ
また、第２フラグＦＬ２が「０」のときには、オフセットデータをプラスし、これにより、Ａｖｄｍｉｎとして、レンズＲＯＭの１／２ステップのＡｖｄｍｉｎデータに１／８ステップのオフセットデータをプラスした値とする（Ｓ３２１）。すなわち、
Ａｖｄｍｉｎ＝レンズＲＯＭ１／２ステップＡｖｄｍｉｎデータ＋１／８ステップオフセットデータ
【００１９】
しかる上で、前記各フローで得られたＡｖｄｍｉｎに、ステップＳ３０３で得られたＡｖｄｓｈｉｆｔを加えて最終的なＡｖｄｍｉｎを算出する。また、レンズＲＯＭ４の情報から得られるＡｖｄｍａｘデータに対して前記Ａｖｄｓｈｉｆｔを加えて最終的なＡｖｄｍａｘを算出する（Ｓ３２３）。なお、リアコンバータが存在しない場合には、Ａｖｄｓｈｉｆｔは０であるから、前記Ａｖｄｍｉｎ，Ａｖｄｍａｘの値は変化されない。
【００２０】
以上のようにＡｖｄｍｉｎとＡｖｄｍａｘを算出した上で、図３のフローのステップＳ１１１でのＦ値の表示を行う。図７はこのＦ値の表示動作のフローを示している。先ず、図４のＡＥ演算のステップＳ２１１，Ｓ２１５で算出したＡｖｄと、図６のステップＳ３２３で算出したＡｖｄｍｉｎとを比較する（Ｓ４０１）。ＡｖｄがＡｖｄｍｉｎ以上のときには、現在のレンズ２の絞りが開放状態であると判定し、表示するデータをＡｖｄｍｉｎとし、開放Ｆ値を表示するものとする（Ｓ４０３）。このときには、前記ステップＳ３０７での判定で第１フラグＦ１が「１」で表示分解能が１／８ステップであるとき、または前記ステップＳ３０９，Ｓ３１３での判定でレンズがＦ1.9 あるいはＦ1.8 等の特異な開放Ｆ値のレンズであるときは、表示用メモリ８に格納されている、図２に示した表示Ｆ値テーブルデータの１／８ステップのＦ値を選択する（Ｓ４０５，Ｓ４０７）。
【００２１】
一方、前記ステップＳ４０１において、ＡｖｄがＡｖｄｍｉｎよりも大きいときには、表示するデータをＡｖｄとし、ＡＥ演算で得られたＡｖｄに基づく中間Ｆ値を表示するものとする（Ｓ４０９）。このときには、表示用メモリに格納されている表示Ｆ値テーブルデータの１／２ステップのＦ値を選択する（Ｓ４１１，Ｓ４１３）。なお、前記ステップＳ４０５において、表示分解能を示すフラグＦ１が１／８ステップではないとき、またはレンズ２がシリアル番号の判別にてＦ1.9 あるいはＦ1.8 のレンズでないと判断されたときは同様に表示Ｆ値テーブルデータの１／２ステップのＦ値を選択する（Ｓ４１１，Ｓ４１３）。
【００２２】
この結果、Ａｖｄの最小値であるＡｖｄｍｉｎ、すなわち開放Ｆ値を表示する場合、あるいはＦ1.9 またはＦ1.8 のレンズの特異な開放Ｆ値を表示する場合には、１／８ステップの表示分解能でのＦ値表示を行うことになり、開放Ｆ値よりも大きなＦ値を表示する場合には１／２段のＦ値表示を行うことになる。すなわち、開放Ｆ値の表示では、細分化されたステップでのＦ値表示を行うことができ、Ｆ1.9 あるいはＦ1.8 等のような、１／２ステップ或いは１／３ステップの表示分解能のＦ値表示では表示値から外れてしまうＦ値を含めて開放Ｆ値を正確に表示することが可能になる。その一方で、開放Ｆ値以外のＦ値の表示では、それよりも大きい１／２ステップの表示分解能でのＦ値表示を行うため、実際の撮影には十分な表示分解能での表示が行われることになり、表示が目まぐるしく変化して撮影者が煩わしく感じるようなことはない。
【００２３】
例えば、図２に示したＦ値表示テーブルデータから判るように、Ｆ1.8 あるいはＦ1.9 のレンズの場合に、１／２ステップの表示の場合には開放Ｆ値はいずれのレンズでもＦ1.7 或いはＦ2.0 と表示されるが、本実施形態のように１／８ステップの表示の場合にはそれぞれＦ1.8 ，Ｆ1.9 として表示されることになり、開放Ｆ値を正確に表示することが可能になる。一方、中間Ｆ値であるＦ4.0 からＦ5.6 まで表示が変化する場合、１／８ステップの場合には、Ｆ4.0 ，Ｆ4.2 ，…，Ｆ5.4 ，Ｆ5.6 と８段階で表示Ｆ値が変化するのに対し、１／２ステップの場合には、Ｆ4.0 ，Ｆ4.5 ，Ｆ5.6 と３段階で表示Ｆ値が変化する。そのため、中間Ｆ値を１／２ステップでの表示を行うことにより、撮影者が表示変化を煩わしく感じることはない。
【００２４】
また、前記実施形態のようにリアコンバータを装着し、当該リアコンバータのＡｖシフト値Ａｖｄｓｈｉｆｔを考慮した場合を図８に示す。算出Ａｖは、図２に示された１／８ステップの演算データ、Ｆ値は公称値、Ａｖｍｉｎは算出Ａｖをアペックス表示したもの、１／８ステップ表示は算出Ａｖに対応した表示値、１／２ステップ表示は同じく算出Ａｖに対応した表示値である。例えば、公称の開放Ｆ値がＦ1.9 のレンズでは、リアコンバータ３を装着していないときには、同図（ａ）のように、Ａｖｍｉｎは1.875 、１／８ステップ表示用開放Ｆ値は1.9 、１／２ステップ表示用開放Ｆ値は2.0 となる。このレンズに、（×２）のリアコンバータ３を装着した場合には、同図（ｂ）のように、公称の開放Ｆ値はＦ3.8 （1.9 ×２），（Ａｖｍｉｎ＝3.875( 1.875＋２））となる。なお、（＋２）はリアコンバータの（×２）のＡｖｄｓｈｉｆｔである。この公称の開放Ｆ値に対し、１／８ステップの表示用開放Ｆ値はＦ3.8 、１／２ステップの表示用開放Ｆ値はＦ4.0 となる。また、同図（ｃ）のように、（×1.7 ）のリアコンバータを装着した場合には、公称の開放Ｆ値はＦ3.2 （1.9 ×1.7 ）（Ａｖｍｉｎ＝3.375 （1.875 ＋1.5 ））となる。なお、（＋1.5 ）はリアコンバータの（×1.7 ）のＡｖｄｓｈｉｆｔである。この公称の開放Ｆ値に対し、１／８ステップの表示用開放Ｆ値はＦ3.2 、１／２ステップの表示用開放Ｆ値はＦ3.5 となる。このように、リアコンバータを使用した場合においても、開放Ｆ値をより正確に表示することが可能になる。
【００２５】
また、本発明はズームレンズについても適用が可能である。例えば、図９にはＦ3.2 〜4.8 ／ｆ（焦点距離：ｍｍ）28〜80のレンズに本発明を適用した例である。焦点距離が最短焦点端（Ｓ端）のｆ28，…，中間焦点のｆ50，…，最長焦点端（Ｌ端）のｆ80と変化するのに伴い、公称の開放Ｆ値はＦ3.2 ，…，Ｆ4.0 ，…，Ｆ4.8 と変化する。なお、Ａｖｍｉｎは、3.375 ，…，4.0 ，…，4.5 と変化する。これに対し、１／８ステップでは、それぞれ表示用開放Ｆ値は、Ｆ3.2 ，…，Ｆ4.0 ，…，Ｆ4.8 となる。また、１／２ステップでは、それぞれ表示用開放Ｆ値は、Ｆ3.5 ，…，Ｆ4.0 ，…，Ｆ4.5 となる。このことから、Ｓ端とＬ端では、１／８ステップの表示用開放Ｆ値の方では、公称開放Ｆ値と一致した正確なＦ値を表示することがわかる。また、その一方で中間焦点では、１／８ステップと１／２ステップの各表示開放Ｆ値には大きな差が生じないことが判る。したがって、ズームレンズに適用する場合には、Ｓ端とＬ端において、開放Ｆ値の表示を１／８ステップで行い、中間焦点での開放Ｆ値の表示を１／２ステップで行うようにする。これにより、ズームレンズの全焦点距離において正確な開放Ｆ値の表示が可能である一方で、中心焦点での開放Ｆ値が微細に変化することはなく、撮影者が煩わしく感じるようなこともない。また、カタログ表示上のＦ値は一般的にＳ端とＬ端のＦ値が示されているが、このＦ値とカメラの表示Ｆ値とを一致できるというメリットがある。
【００２６】
ここで、前記実施形態では、Ｆ値の表示を１／２ステップの分解能と１／８ステップの分解能の例について示したが、これらのステップ以外の分解能での表示を行うように構成することが可能であることは言うまでもない。また、表示絞り値格納手段は、予め算出された表示Ｆ値を記憶する表示用メモリとして構成した例を示したが、表示制御手段から与えられるステップの分解能に応じてその都度表示Ｆ値を演算する演算回路として構成することも可能である。また、Ｆ値設定はレンズよりなされる例を示したが、カメラ本体からＦ値設定した場合でも、自動露出モードにて測光値（Ｂｖ）よりＦ値が自動設定されるような場合でも同様な動作をする。
【００２７】
【発明の効果】
以上説明したように本発明は、レンズの開放Ｆ値を表示する場合には、表示分解能が細かい第２ステップ表示絞り値を選択してＦ値表示を行い、開放Ｆ値以外のＦ値を表示する場合には、それよりも表示分解能が粗い第１ステップ表示絞り値を選択してＦ値表示を行うことにより、第１ステップ表示絞り値の分解能では表示値から外れてしまう開放Ｆ値を正確に表示することが可能になる一方で、開放Ｆ値以外のＦ値の表示では、実際の撮影には十分な表示分解能でのＦ値表示が行われることになり、表示が目まぐるしく変化して撮影者が煩わしく感じるようなことはない。また、リアコンバータを装着した場合の開放Ｆ値が第１ステップ表示絞り値の分解能では表示値から外れてしまうような場合、さらには、ズームレンズの短焦点側端点と長焦点側端点の開放Ｆ値が第１ステップ表示絞り値の分解能では表示値から外れてしまうような場合のそれぞれにおいても、正確なＦ値の表示が可能になり、その一方でＦ値表示が目まぐるしく変化する状態のＦ値表示が回避される。また、一般的にカタログ表記上、ズームレンズのＦ値は短焦点側端点と長焦点側端点とのみが表示されているので、カメラの表示もカタログ表記の数値と一致できる効果もある。
【図面の簡単な説明】
【図１】本発明のＦ値表示装置を備えるカメラの概念構成図である。
【図２】表示用メモリに記憶される表示Ｆ値テーブルデータの例を示す図である。
【図３】本発明にかかるＦ値表示動作のゼネラルフローチャートである。
【図４】ＡＥ演算のフローチャートである。
【図５】レンズＲＯＭとリアコンＲＯＭの情報を示す図である。
【図６】開放Ｆ値と最大Ｆ値を算出するフローチャートである。
【図７】絞り値表示のフローチャートである。
【図８】リアコンバータを用いたときの開放Ｆ値表示の例を示す図である。
【図９】ズームレンズを用いたときの開放Ｆ値表示の例を示す図である。
【符号の説明】
１  カメラボディ
２  レンズ
３  リアコンバータ
４  レンズＲＯＭ
５  ＣＰＵ
６  リアコンＲＯＭ
７  絞り設定環検出機構
８  表示用メモリ
１１  ファインダ
１２  レリーズボタン
１３  測光装置
１４  ストロボ
１５  各種スイッチ
１６  液晶表示装置
２１  鏡筒
２２  絞り設定環
２３  指標
【図１】
0004136320.tif 000002
【図２】
0004136320.tif 000003
【図３】
0004136320.tif 000004
【図４】
0004136320.tif 000005
【図５】
0004136320.tif 000006
【図６】
0004136320.tif 000007
【図７】
0004136320.tif 000008
【図８】
0004136320.tif 000009
【図９】
0004136320.tif 000010